(57)【要約】【課題】扉の案内部の加工性を向上して歩留まりを良好にすると共に、補強材の数を少なくし得るボトムパネルを備えた戸棚を提供する。【解決手段】本体の下部を構成するボトムパネル１８を、収納室に臨むパネル本体６２と、該パネル本体６２の前部に取付けられるフロントフレーム６４とから構成する。フロントフレーム６４の前側には、スライド扉の下縁部を支持すると共にスライド方向へ案内する案内溝６０,６０が幅方向に沿って折曲形成される。また、フロントフレーム６４は、パネル本体６２に取付けた際に、該パネル本体６２の下面に当接して幅方向に延在する当接支持部８６を備える。【選択図】図４
2008067774.tif 000002
【特許請求の範囲】
【請求項１】
本体(22)に内部画成された収納室(26)に対し、該本体(22)の前方に開設した開口部(22a,22b)を介して被収納物を出し入れすると共に、該開口部(22a,22b)をスライド自在な扉(29,31)により開閉するようにした戸棚において、
前記本体(22)の下部を構成するボトムパネル(18)は、前記収納室(26)に臨むパネル本体(62)と、該パネル本体(62)とは別体で成形されてパネル本体(62)の前部に取付けられるフロントフレーム(64)とを備え、
前記フロントフレーム(64)には、前記扉(29,31)の下縁部を支持すると共にスライド方向へ案内する案内部(60)が幅方向に沿って折曲形成されている
ことを特徴とする戸棚。
【請求項２】
前記フロントフレーム(64)は、幅方向に所定長さで延在し、前記パネル本体(62)の下面に当接する当接支持部(86)を備えている請求項１記載の戸棚。
【発明の詳細な説明】
【技術分野】
【０００１】
この発明は、本体に内部画成した収納室に食器類等の被収納物を収納するよう構成した戸棚に関するものである。
【背景技術】
【０００２】
例えば、厨房に設置される食器類等を収納する戸棚は、箱状の本体の内部に、食器類等が収納される収納室が画成されると共に、該本体の前方に開設された矩形状の開口部がスライド扉により開閉されるよう構成される(例えば、特許文献１参照)。前記開口部の内周下部には、前記スライド扉の下端部がスライド自在に支持される案内溝が前後２列で設けられている。
【０００３】
また、戸棚の本体は、ステンレス鋼等を材料とする鋼板を折曲げ加工した５枚の板材を、相互に溶接固定することで構成されている。すなわち、トップパネル、ボトムパネル、バックパネルおよび左右のサイドパネルからなる板材を相互に組付けて、前記本体が形成されるようになっている。なお、前記案内溝は、前記ボトムパネルの前面側を凹状に折曲成形して形成されている。
【特許文献１】特開２００５−３０１６５号公報
【発明の開示】
【発明が解決しようとする課題】
【０００４】
ところで、従来の戸棚に採用されているボトムパネルは、収納室内に臨むパネルの本体部分と、前記案内溝が形成される前側部分とが一体的に形成されている。すなわち、前記案内溝は、ステンレス材からなるボトムパネルの前側を折曲加工して形成される訳であるが、スライド扉のガタつき防止やスムーズな開閉を実現するため、案内溝を曲げ加工する際には高度な正確性が要求される。しかるに、従来のボトムパネルは、全体が一体成形されているため、殊に、寸法の大きなボトムパネルにおいては取扱いが容易でなく、案内溝の形成作業は極めて煩雑なものとなり、加工に時間が掛かってコストが嵩む原因となっていた。また、形成された案内溝の寸法に許容不能な誤差が生じてしまった場合には、ボトムパネル全体を再度作り直さなければならず、それまでの工程や材料等が無駄となる難点も指摘される。
【０００５】
また、図６に示すように、従来のボトムパネル５４の裏側には、幅方向に延在する補強材５６が前後方向中央に１つと、前後端に１つずつ設置され、合計で３つの補強材５６によりボトムパネル５４の強度向上が図られていた。しかしながら、このように複数の補強材５６を設置することは製品コストが嵩む原因となり、補強材５６の設置数低減が求められている。
【０００６】
そこで本発明は、前述した従来の技術に内在している前記問題に鑑み、これを好適に解決するべく提案されたものであって、ボトムパネルにおける案内部の加工性を向上して歩留まりを改善し、併せて補強材の数を低減し得る戸棚を提供することを目的とする。
【課題を解決するための手段】
【０００７】
前述した課題を解決し、所期の目的を好適に達成するため、本発明に係る戸棚は、
本体に内部画成された収納室に対し、該本体の前方に開設した開口部を介して被収納物を出し入れすると共に、該開口部をスライド自在な扉により開閉するようにした戸棚において、
前記本体の下部を構成するボトムパネルは、前記収納室に臨むパネル本体と、該パネル本体とは別体で成形されてパネル本体の前部に取付けられるフロントフレームとを備え、
前記フロントフレームには、前記扉の下縁部を支持すると共にスライド方向へ案内する案内部が幅方向に沿って折曲形成されていることを特徴とする。
請求項１の発明によれば、扉の案内部が形成されるフロントフレームをパネル本体とは別体としたから、案内部の加工性が格段に向上し、歩留まりを良好にすることが可能となる。また、フロントフレームを別体とすることで、戸棚の奥行きや高さ寸法が相違しても、パネル本体の幅寸法がフロントフレームと一致している場合には、同規格のフロントフレームを共通して利用することができ、汎用性が高く、製品コストを低廉にし得る。
【０００８】
請求項２に係る戸棚は、フロントフレームが、幅方向に所定長さで延在し、前記パネル本体の下面に当接する当接支持部を備えている。
請求項２によれば、フロントフレームをパネル本体に取付けた際に、当接支持部がパネル本体の下面に幅方向に延在した状態で当接するので、該フロントフレームをボトムパネルの補強材として機能させることが可能となる。従って、従来のボトムパネルよりも補強材を少なくでき、材料コストの抑制を図り得る。
【発明の効果】
【０００９】
本発明に係る戸棚によれば、ボトムパネルの加工性が向上して歩留まりを良好にし得る。また、ボトムパネルに必要な補強材の数を低減することができる。
【発明を実施するための最良の形態】
【００１０】
次に、本発明に係る戸棚につき、好適な実施例を挙げて、添付図面を参照しながら以下説明する。なお、以下の説明において「右」、「左」、「前」および「後」とは、図１に示す如く、戸棚を正面側から見た場合に基づき指称することとする。また、実施例では、戸棚として食器類を収納する食器戸棚を例に説明を行なうが、戸棚としては、この食器戸棚に限られず、被収納物を収納し得るものであれば、如何なる戸棚であってもよい。
【００１１】
図１は、実施例に係る食器戸棚１０を示す正面図であって、該食器戸棚１０は、一対のサイドパネル１２,１４、トップパネル１６、ボトムパネル１８およびバックパネル２０(図２参照)を相互に連結固定することで、前方側が開放する箱状の本体２２が構成されている。この本体２２の内部には、図２に示す如く、上下方向の略中間位置に仕切板２４が配設され、本体２２内部には、該仕切板２４を挟んで上下に収納室２６が夫々画成されるようになっている。なお、両サイドパネル１２,１４における各収納室２６内に臨んで対向する内面には、前後に離間して棚受柱(図示せず)が上下方向に延在するよう夫々配設され、該棚受柱に着脱自在に係止された棚受金を介して、食器類を載置する棚部材(何れも図示せず)が多段的に配設可能に構成されている。
【００１２】
前記本体２２の前部には、前方に開放する矩形状の開口部２２ａ,２２ｂが、前記仕切板２４を挟んで上下に形成されている。上側の開口部２２ａの内周上部および下部には、その幅方向の全長に亘って、上案内部２８および下案内部３０(図２参照)が設けられている。すなわち、トップパネル１６の下面に上案内部２８が設けられると共に、仕切板２４の上面に下案内部３０が設けられている。そして、前スライド扉(扉)２９および後スライド扉(扉)３１が、夫々の上縁部を上案内部２８で支持されたもとで、夫々の下縁部に設けられたローラ５８を前記下案内部３０の凹部３０ａ,３０ａに臨ませた状態でスライド自在に支持されて、上側の開口部２２ａを開閉し得るよう構成してある。
【００１３】
下側の開口部２２ｂの内周上部に対応する仕切板２４の下面には、その幅方向の全長に亘って上案内部２８が設けられると共に、該開口部２２ｂの内周下部には、後述するボトムパネル１８の案内溝(案内部)６０,６０が延在している。そして、前記上側の開口部２２ａと同様に、夫々の上縁部を上案内部２８で支持された各扉２９,３１の下縁部に設けられたローラ５８,５８を、対応の案内溝６０,６０にスライド自在に臨ませた前スライド扉２９および後スライド扉３１によって、下側の開口部２２ｂを開閉するよう構成される。
【００１４】
前記本体２２の下部を構成するボトムパネル１８は、図３〜図５に示すように、前記収納室２６内に臨むパネル本体６２と、該パネル本体６２の前面側に取付けられるフロントフレーム６４とから基本的に構成されている。パネル本体６２は、図４に示すように、ステンレス鋼からなる板材を、下方および前方側が開放した箱体状に折曲成形して構成されて、収納室２６に臨む上面側のパネル部６６と、両側面部６８,６８および後面部７０を備えている。また、図５に示すように、前記パネル部６６の前方側はコ字状に折り曲げられて段部７２が形成され、該段部７２の下方側の水平部７２ａにリベット１００の第１通孔７４が幅方向に離間して複数開設されている。パネル本体６２の下側に画成される空間Ｓには、前後方向略中央に、幅方向に延在する横方向補強材７６が設けられると共に、該空間Ｓの幅方向両側に、前後方向に延在する一対の縦方向補強材７８,７８が設けられる。なお、前記縦方向補強材７８の前部上側には、図５に示すように、該縦方向補強材７８をパネル本体６２に取付けた際に前記フロントフレーム６４との干渉を防止する逃し部８０が形成されている。
【００１５】
前記ボトムパネル１８の前部を構成するフロントフレーム６４は、薄板状のステンレス鋼材を図示形状の如く折曲成形したものであって、幅方向に延在するフロントフレーム６４の基部８２に、前記前スライド扉２９および後スライド扉３１を支持する一対の案内溝６０,６０が前後に位置するよう曲げ加工により形成されている。各案内溝６０は、下方へ膨出した半円弧形状をなしており、該案内溝６０,６０に前スライド扉２９および後スライド扉３１のローラ５８,５８が臨んだ状態で両扉２９,３１を支持している。また、両スライド扉２９,３１の開閉時には、前記ローラ５８,５８が案内溝６０,６０上を転動することで該扉２９,３１がスライドして、前記開口部２２ｂを開閉するよう構成される。
【００１６】
図５に示すように、前記基部８２の後端には、上方に向けて鉛直部８４が折曲形成され、該鉛直部８４の上端から後方へ向けて当接支持部８６が略水平に延出するよう折曲形成されている。また、前記基部８２の前端には、下方へ向けて前面部８８が折曲成形されており、該前面部８８の下端から後方へ向けて下方延出片９０が略水平に延出するよう折曲形成されている。更に、この下方延出片９０の後端には、上方へ向けて位置決め片９２が折曲成形されている。なお、前記基部８２における案内溝６０,６０より後方側には、リベット１００の第２通孔９４が、前記第１通孔７４に対応して複数開設されている(図４参照)。また、前記縦方向補強材７８およびフロントフレーム６４をパネル本体６２に取付けた際に、縦方向補強材７８における逃し部８０を構成する水平方向に延在する水平面部９６と前記案内溝６０,６０の下面とが当接するよう構成される。
【００１７】
前記フロントフレーム６４の幅寸法は、図３(ｂ)に示すように、前記パネル本体６２に画成される空間Ｓの幅寸法(左右両側面部６８,６８間の長さ)と略一致しており、該フロントフレーム６４をパネル本体６２に取付けた際に、幅方向に隙間なく整合するよう構成される。また、図５(ｃ)に示すように、フロントフレーム６４の前面部８８の前面から前記位置決め片９２の後面までの距離をｌ1、前記縦方向補強材７８の逃し部８０における前後幅をｌ2とし、前面部８８の前面から前記鉛直部８４の後面までの距離をＬとすると、これらの値は、Ｌ＝ｌ1＋ｌ2の関係を満たすよう設定されている。更に、前記パネル本体６２におけるパネル部６６の下面から前記水平部７２ａの下面までの距離をｌ3とした場合、このｌ3の値は、フロントフレーム６４の基部８２の上面から当接支持部８６の上面までの距離と一致している。更にまた、前記案内溝６０,６０の下面から前記下方延出片９０の下面までの距離をｌ4とした場合に、該ｌ4は前記縦方向補強材７８の前面に臨む縁部(前方縁部９８)の上下寸法と一致するよう設定される。
【００１８】
従って、前記フロントフレーム６４をパネル本体６２に取り付けた際に、前記水平部７２ａの下面が前記基部８２の上面に当接すると共に、前記当接支持部８６の上面が前記パネル部６６の下面に当接するよう構成される。この状態において、前記パネル本体６２の第１通孔７４とフロントフレーム６４の第２通孔９４とが対応的に整合し、フロントフレーム６４はパネル本体６２に、両第１,第２通孔７４,９４に挿通したリベット１００により仮に位置決め固定される。また、前記フロントフレーム６４がパネル本体６２に位置決めされたもとで、前記縦方向補強材７８をパネル本体６２に取付けると、縦方向補強材７８の上縁部１０２が当接支持部８６の下面に当接すると共に、前記逃し部８０を構成する鉛直方向の鉛直面部１０４が前記鉛直部８４の後面に当接するようになっている。
【００１９】
すなわち、縦方向補強材７８は、前記フロントフレーム６４の当接支持部８６を押圧した状態でパネル本体６２に取付けられ、フロントフレーム６４は、パネル本体６２および縦方向補強材７８により挟持された状態となる。更に、前記縦方向補強材７８の水平面部９６が前記案内溝６０,６０の形成位置に対応する基部８２の下面に当接すると共に、縦方向補強材７８の前方縁部９８が前記位置決め片９２の後面に当接することとなる。これより、フロントフレーム６４の下方延出片９０の下面と縦方向補強材７８の下面とが同レベルで一致し、フロントフレーム６４および縦方向補強材７８によりボトムパネル１８の下面(底面)が構成される。なお、前記フロントフレーム６４およびパネル本体６２は、リベット１００により位置決めされた後、スポット溶接により強固に固定される。また、前記リベット１００を両第１,第２通孔７４,９４に挿通させた際に、該リベット１００の端部は、図５(ｃ)に示すように、前記パネル部６６、段部７２およびフロントフレーム６４で画成される領域Ｖに臨み、外部から視認されないよう構成される。更に、前記フロントフレーム６４の前面部８８の前面は、表面処理等が施されてボトムパネル１８の前面側の仕上げ面を構成している。
【００２０】
前記食器戸棚１０の上部を構成するトップパネル１６は、図２に示す如く、本体パネル３２と、該本体パネル３２の前部に取付けられる前面フレーム３４とから構成される。本体パネル３２は、幅方向に長い中空直方体状に形成され、その裏面３２ａには表面処理等の仕上げ加工が施されて、トップパネル１６裏側の仕上げ面４０の一部をなすよう設定されている。また、本体パネル３２の前部には、前記前面フレーム３４を取付けるためのブラケット３６が、幅方向全体に亘って設けられている。
【００２１】
前記前面フレーム３４は、ステンレス鋼等の薄板材を側面視で略Ｌ字状に折曲成形したものであって、裏面５０ａに表面処理等の仕上げ加工が施されて仕上げ面に設定された平坦部５０と、該平坦部５０の前端から鉛直上方に延出し、同じく仕上げ加工が施されてトップパネル１６の前方側の仕上げ面６３を構成する上方前面部５２とを備えている。そして、前記前面フレーム３４の平坦部５０の裏面５０ａおよび前記本体パネル３２の裏面３２ａは同レベルで一致して、両裏面５０ａ,３２ａによりトップパネル１６裏側の仕上げ面４０を構成している。
【００２２】
前記本体２２を構成する他のパネル１２,１４,２０は、従来公知の戸棚に使用される各パネルと同一であって、所定厚みのステンレス鋼を材料とする薄板鋼板で構成される。そして、各パネル１２,１４,２０は、互いに組付けられた後、例えば、固定手段としてのネジやリベット(図示せず)を用いて相互に連結固定される。また、前記仕切板２４は、両サイドパネル１２,１４間に適宜の手段により架設されると共に、該仕切板２４の後面に、前記パックパネル２０がネジを介して連結固定されるようになっている。更に、前後のスライド扉２９,３１は、何れもステンレス鋼を材料とする鋼板により形成された中空パネルの内部に、発泡ウレタン等の発泡材(図示せず)を充填して構成されたものであって、必要な強度を確保すると共に消音性を向上するようにしてある。また、スライド扉２９,３１の表面には、フッ素樹脂コートが施され、手アカや汚れが付き難くしてある。なお、図１の符号７１は、スライド扉２９,３１に設けられた把手を示している。
【００２３】
(実施例の作用)
次に、前述した実施例に係る食器戸棚１０の作用について説明する。前記本体２２を構成するサイドパネル１２,１４、トップパネル１６およびボトムパネル１８は、夫々別に製作された後、バックパネル２０と共に組立てられる。また、前記ボトムパネル１８については、パネル本体６２およびフロントフレーム６４が別体で成形されており、予め両部材を取付ける必要がある。すなわち、図５(ａ)に示すように、前記第２通孔９４が第１通孔７４に一致するようフロントフレーム６４の当接支持部８６をトップパネル１６の裏側に臨ませる。すると、前記当接支持部８６の上面がパネル部６６の下面に当接した状態となる。この状態のまま、図５(ｂ)に示す如く、前記リベット１００を両第１,第２通孔７４,９４に挿通させて、フロントフレーム６４およびパネル本体６２を仮固定し、スポット溶接にて強固に固定する。前記リベット１００の端部は、パネル部６６、段部７２およびフロントフレーム６４で画成される領域Ｖに臨むので、外部から視認されない。なお、前記横方向補強材７６は、パネル本体６２における空間Ｓの前後方向略中央位置にスポット溶接にて予め取付けられている。
【００２４】
次に、一対の縦方向補強材７８,７８をパネル本体６２の空間Ｓにおける両側に取付ける。すなわち、縦方向補強材７８の前方縁部９８をフロントフレーム６４の位置決め片９２の後面に当接させると共に、水平面部９６を前記案内溝６０,６０に対応する基部８２の下面に当接させる。すると、図５(ｃ)に示すように、縦方向補強材７８の鉛直面部１０４がフロントフレーム６４の鉛直部８４の後面に当接したもとで上縁部１０２が前記当接支持部８６の下面に当接し、該当接支持部８６は、縦方向補強材７８およびパネル部６６に挟持された状態となる。更に、前記下方延出片９０と縦方向補強材７８の下面とが同レベルで一致し、ボトムパネル１８の下面が構成される。
【００２５】
すなわち、フロントフレーム６４は、パネル本体６２に取付けられた後、縦方向補強材７８により下方から当接状態で固定され、これらの部材は確実に整合して組み付けられる。しかも、前記フロントフレーム６４の当接支持部８６は、パネル本体６２の下面を支持した状態で幅方向に延在するので、フロントフレーム６４自体がボトムパネル１８の補強材としての機能を発揮する。従って、前述した従来例の図６に示す如く、幅方向に延在する補強材５６をボトムパネル１８の裏側に複数設置する必要はなく、図３(ｂ)に示す如く、前後方向の中央に横方向補強材７６を１つ設けるだけでボトムパネル１８の剛性を十分確保し得る。なお、フロントフレーム６４の前面部８８における前面側は仕上げ加工が施されて、ボトムパネル１８前面の仕上げ面を構成している。
【００２６】
なお、前記トップパネル１６についても、ボトムパネル１８と同様に、本体パネル３２および前面フレーム３４が別体で成形されているので、予め両者を固定する。図２に示すように、前記平坦部５０の裏面５０ａと前記本体パネル３２の裏面３２ａとが同レベルで一致して、トップパネル１６裏側が仕上げ面４０として設定される。
【００２７】
次いで、各パネル１２,１４,１６,１８,２０を相互に組付け、ネジやリベットにより連結固定することで食器戸棚１０が完成する。ここで、前記スライド扉２９,３１の一方を開放させた場合、食器戸棚１０の高さ寸法が人間よりも大きいと、前記開口部２２ａを介してトップパネル１６の裏側が視認される。しかるに実施例に係る食器戸棚１０にあっては、トップパネル１６の裏面が仕上げ面４０に設定されているので、開口部２２ａを介してトップパネル１６の裏面が見えたとしても見栄えは良く、食器戸棚１０の商品価値が損なわれることはない。また、前記トップパネル１６は、本体パネル３２の前部に前面フレーム３４を固定して構成されるため、該前面フレーム３４によりトップパネル１６の剛性は確保される。更に、前面フレーム３４の上方前面部５２がトップパネル１６の前面側の仕上げ面６３を構成するようにしたので、食器戸棚１０の前面に化粧板等を別途設ける必要がなく、部品点数の増加を回避し得る。
【００２８】
以上に説明したように、実施例に係る食器戸棚１０は、ボトムパネル１８をフロントフレーム６４およびパネル本体６２の分割構造としたので、フロントフレーム６４の取扱いが容易となって案内溝６０,６０の加工性を向上することができる。すなわち、案内溝６０,６０を精度良く加工することが可能となり、また、仮に案内溝６０,６０の寸法に許容不能な誤差が生じたとしても、ボトムパネル１８全体を廃棄する必要はなく、フロントフレーム６４のみを作り直せば足りるので、歩留まりを良好にすることができる。また、食器戸棚１０の奥行きや高さ寸法が相違しても、パネル本体６２の幅寸法がフロントフレーム６４と一致していれば、同規格のフロントフレーム６４を共通して利用することができ、製品コストを低廉にし得る。更に、フロントフレーム６４をパネル本体６２に取付けた際に、前記当接支持部８６がフロントフレーム６４の下面に幅方向に延在するよう当接するので、フロントフレーム６４をボトムパネル１８の補強材として機能させることができる。従って、従来のボトムパネル１８に比べて補強材の設置数を少なくでき、製品コストを低廉にし得る。
【００２９】
なお、実施例では、両スライド扉２９,３１を案内・支持する案内部として、凹状の案内溝６０,６０を採用し、ローラ５８が案内溝６０を転動することで両扉２９,３１がスイラドする構成とされていた。しかしながら、例えば、スライド扉にローラ５８を設けずに、該スライド扉の下縁部が案内溝６０を摺動する構成としてもよい。また、各案内溝６０にレールを設けて、該レール上をスライド扉がスライドする構成としてもよい。更に、本発明に係る案内部としては、スライド扉を案内・支持し得る構成であれば、必ずしも、実施例の如き凹状の案内溝６０に限定される訳ではなく、例えば、案内部を凸状にすると共に、扉の下縁部を凹状にして、両部材が係合状態で摺動する構成としてもよい。
【００３０】
また、実施例では、前スライド扉２９および後スライド扉３１の２枚の扉で上下の各開口部２２ａ,２２ｂを開閉する構成としたが、各開口部２２ａ,２２ｂを１枚のスライド扉で開閉する構成としてもよい。この場合、フロントフレーム６４には、前記案内溝６０が１つだけ形成される。更に、実施例では、収納室２６を上下に２つ設けた構成としたが、収納室２６は１つであってもよい。更にまた、実施例では、フロントフレーム６４およびパネル本体６２を、リベット１００およびスポット溶接を組み合わせて固定したが、ネジやボルト等、他の固定手段を採用することも可能である。
【図面の簡単な説明】
【００３１】
【図１】実施例に係る食器戸棚を示す正面図である。
【図２】実施例に係る食器戸棚を示す縦断側面図である。
【図３】実施例に係る食器戸棚に採用されたボトムパネルを示す図であって、(ａ)はボトムパネルの平面図を示し、(ｂ)はボトムパネルの底面図を示す。
【図４】実施例に係る食器戸棚に採用されたボトムパネルを裏側から見た斜視図である。
【図５】ボトムパネルを組み付ける様子を示した概略説明図であって、(ａ)はパネル本体にフロントフレームを取付ける状態を示し、(ｂ)はパネル本体にフロントフレームをリベットにより位置決めする様子を示し、(ｃ)はパネル本体、フロントフレームおよび縦方向補強材が組み付けられた状態を示す。
【図６】従来のボトムパネルを示す底面図である。
【符号の説明】
【００３２】
１８ ボトムパネル，２２ 本体，２２ａ,２２ｂ 開口部，２６ 収納室
２９ 前スライド扉(扉)，３１ 後スライド扉(扉)，６０ 案内溝(案内部)
６２ パネル本体，６４ フロントフレーム，８６ 当接支持部
【図１】
2008067774.tif 000003
【図２】
2008067774.tif 000004
【図３】
2008067774.tif 000005
【図４】
2008067774.tif 000006
【図５】
2008067774.tif 000007
【図６】
2008067774.tif 000008